(57)【要約】【課題】使用者に違和感を与えることなく吐水条件を自動的に変更することができる水栓装置を提供する。【解決手段】本発明は、複数の吐水形態を切替えることができる水栓装置であって、吐水部と、選択されている吐水形態を検出する吐水形態検出手段（１４）と、吐水形態に対応した吐水条件を記憶した記憶手段（２２ａ）と、各吐水形態における吐水条件を変更するための単一の操作部（８、１０）と、吐水条件に応じた吐水を形成する吐水条件形成手段（１６）と、吐水形態、記憶吐水条件、及び操作部の操作に基づいて吐水させる制御手段（２２）と、を有し、制御手段は、吐水形態が切替られたとき、吐水条件形成手段を制御して、切替後の吐水形態について記憶手段に記憶されている記憶吐水条件の吐水に変更するが、所定の場合には切替前の吐水条件を維持することを特徴としている。【選択図】図５
2010043465.tif 000002
【特許請求の範囲】
【請求項１】
複数の吐水形態を切替えて吐水することが可能であり、所定の吐水条件を設定することができる水栓装置であって、
吐水口を備えた吐水部と、
上記複数の吐水形態のうちのどの吐水形態が選択されているかを検出する吐水形態検出手段と、
複数の吐水形態に対応した複数の吐水条件を記憶した記憶手段と、
上記各吐水形態における吐水条件を変更するための単一の操作部と、
吐水条件に応じた吐水を形成する吐水条件形成手段と、
上記吐水形態検出手段によって検出された吐水形態、上記記憶手段に記憶された記憶吐水条件、及び上記操作部の操作に基づいて、上記吐水条件形成手段を制御して吐水させる制御手段と、を有し、
上記制御手段は、吐水形態が切替られたとき、上記吐水条件形成手段を制御して、切替後の吐水形態について上記記憶手段に記憶されている記憶吐水条件の吐水に変更するが、所定の場合には切替前の吐水条件を維持することを特徴とする水栓装置。
【請求項２】
上記記憶吐水条件の少なくとも一部は、上記操作部の操作により変更される可変吐水条件である請求項１記載の水栓装置。
【請求項３】
上記記憶吐水条件の少なくとも一部は、予め設定され、固定された固定吐水条件であり、上記操作部による操作は、固定吐水条件が設定された吐水形態に対しては、吐水中の吐水条件のみを変更する請求項１又は２記載の水栓装置。
【請求項４】
吐水条件は吐水温度を含んでおり、上記制御手段は、吐水形態の切替前の吐水温度が、切替後の吐水形態に対応した記憶吐水条件である吐水温度よりも低い場合には、切替前の吐水温度を維持する請求項１乃至３の何れか１項に記載の水栓装置。
【請求項５】
吐水条件は吐水流量を含んでおり、上記制御手段は、吐水形態の切替前の吐水流量が、切替後の吐水形態に対応した記憶吐水条件である吐水流量よりも少ない場合には、切替前の吐水流量を維持する請求項１乃至４の何れか１項に記載の水栓装置。
【請求項６】
上記制御手段は、吐水形態の切替が吐水中に行われた場合には、切替前の吐水条件を維持する請求項１乃至３の何れか１項に記載の水栓装置。
【請求項７】
吐水条件は吐水温度及び吐水流量を含んでおり、上記制御手段は、吐水形態の切替が吐水中に行われた場合、吐水流量は切替後の吐水形態に対応した記憶吐水条件である吐水流量に変更し、吐水温度は切替前の吐水温度を維持する請求項１乃至３の何れか１項に記載の水栓装置。
【請求項８】
上記制御手段は、上記操作部が操作されている間に吐水形態が切替られた場合には、切替前の吐水条件を維持する請求項１乃至３の何れか１項に記載の水栓装置。
【請求項９】
上記吐水部は、吐水口の位置を変更できるように可動に構成され、上記吐水形態の切替は、吐水口の位置の変更である請求項１乃至８の何れか１項に記載の水栓装置。
【請求項１０】
上記吐水部はシャワーヘッド及びカランであり、上記吐水形態の切替は、シャワーヘッドからの吐水とカランからの吐水の切替である請求項１乃至８の何れか１項に記載の水栓装置。
【発明の詳細な説明】
【技術分野】
【０００１】
本発明は水栓装置に関し、特に、複数の吐水形態を切替えて吐水することが可能であり、所定の吐水条件を設定することができる水栓装置に関する。
【背景技術】
【０００２】
特許第２６２３５４５号公報（特許文献１）には、給湯装置が記載されている。この給湯装置は、給湯温度を調節する温度調節手段と、この温度調節手段で調節された給湯温度範囲の異なる湯を供給する複数の給湯口と、これら複数の給湯口を切替える切替弁と、給湯口の選択を行なう給湯口設定部と、温度調節手段の給湯温度の設定変更を行なう給湯温度変更部と、給湯開始時の給湯温度を給湯口ごとに定めた異なる給湯温度範囲内の所定温度に設定する給湯温度予設定部と、給湯口設定部の設定に従って切替弁と温度調節手段を制御し給湯温度を選択された給湯口に対応した給湯温度予設定部の所定温度に制御し、給湯温度変更部の設定変更に従って温度調節手段を制御し給湯温度を選択された給湯口の給湯温度範囲内で変更する制御器を備えている。
【０００３】
この給湯装置では、給湯開始時の給湯温度を給湯口ごとに定めておき、選択された給湯口に対応した所定温度に制御された湯が、選択された給湯口から吐出されるので、各給湯口において想定される使用に適した温度の湯を自動的に供給することができる。
【０００４】
【特許文献１】特許第２６２３５４５号公報
【発明の開示】
【発明が解決しようとする課題】
【０００５】
しかしながら、特許第２６２３５４５号公報に記載された給湯装置においても、所定の場合には、使用者の期待とは異なる温度の湯が吐出され、使用者に違和感を与える場合があるという問題がある。例えば、浴室でシャワーを浴びている使用者が、給湯器はシャワーヘッドから吐出されている湯水の温度に設定されていると信じて湯水の吐出先を浴槽の給湯口に切替えた場合、高温に設定されていた浴槽の給湯口から突然高温の湯が吐出されると使用者に不快感を与えることになる。
【０００６】
また、特許第２６２３５４５号公報に記載された給湯装置においては、自動的に温度設定が変更されるのは、吐水形態として給湯口を切替えた場合のみであり、十分に使い勝手が良いものではない。
さらに、特許第２６２３５４５号公報に記載された給湯装置においては、自動的に変更される吐水条件は吐水温度のみであり、十分に使い勝手が良いものではない。
【０００７】
従って、本発明は、様々な使用場面において、使用者に違和感を与えることなく吐水条件を自動的に変更することができる水栓装置を提供することを目的としている。
【課題を解決するための手段】
【０００８】
上述した課題を解決するために、本発明は、複数の吐水形態を切替えて吐水することが可能であり、所定の吐水条件を設定することができる水栓装置であって、吐水口を備えた吐水部と、複数の吐水形態のうちのどの吐水形態が選択されているかを検出する吐水形態検出手段と、複数の吐水形態に対応した複数の吐水条件を記憶した記憶手段と、各吐水形態における吐水条件を変更するための単一の操作部と、吐水条件に応じた吐水を形成する吐水条件形成手段と、吐水形態検出手段によって検出された吐水形態、記憶手段に記憶された記憶吐水条件、及び操作部の操作に基づいて、吐水条件形成手段を制御して吐水させる制御手段と、を有し、制御手段は、吐水形態が切替られたとき、吐水条件形成手段を制御して、切替後の吐水形態について記憶手段に記憶されている記憶吐水条件の吐水に変更するが、所定の場合には切替前の吐水条件を維持することを特徴としている。
【０００９】
このように構成された本発明においては、吐水形態検出手段が複数の吐水形態のうちのどの吐水形態が選択されているかを検出する。記憶手段には、複数の吐水形態に対応した複数の吐水条件が記憶されており、各吐水形態における吐水条件は、操作部により変更される。制御手段は、吐水形態が切替られたとき、吐水条件形成手段を制御して、切替後の吐水形態について記憶手段に記憶されている記憶吐水条件の吐水に変更するが、所定の場合には切替前の吐水条件を維持する。
【００１０】
このように構成された本発明によれば、吐水形態が切替えられたとき、切替前の吐水条件が、自動的に、切替え後の吐水形態について記憶手段に記憶されている吐水条件に変更されるため、吐水形態を切替える毎に吐水条件を設定する必要がないので使い勝手を向上させることができる。加えて、所定の場合には切替前の吐水条件が維持されるので、吐水条件が自動的に変更されることにより使用者が戸惑うのを防止することができる。
【００１１】
本発明において、好ましくは、記憶吐水条件の少なくとも一部は、操作部の操作により変更される可変吐水条件である。
このように構成された本発明によれば、記憶吐水条件を操作部の操作により変更することができるので、各吐水形態に応じた吐水条件を使用者の好みに応じて設定することができる。
【００１２】
本発明において、好ましくは、記憶吐水条件の少なくとも一部は、予め設定され、固定された固定吐水条件であり、操作部による操作は、固定吐水条件が設定された吐水形態に対しては、吐水中の吐水条件のみを変更する。
このように構成された本発明によれば、記憶吐水条件が固定されているので、水栓装置が公共の場に設置された場合等の悪戯を防止することができると共に、使用者が固定された吐水条件を変更したい場合には、吐水中に操作部を操作することにより好みに応じて吐水条件を変更することができる。
【００１３】
本発明において、好ましくは、吐水条件は吐水温度を含んでおり、制御手段は、吐水形態の切替前の吐水温度が、切替後の吐水形態に対応した記憶吐水条件である吐水温度よりも低い場合には、切替前の吐水温度を維持する。
【００１４】
このように構成された本発明によれば、吐水条件の自動的な変更により吐水温度が上昇することがないので、不必要な高温で吐水が行われることが無く、エネルギーの無駄を省くことができると共に、不意に高温の吐水が行われる不都合を回避することができる。
【００１５】
本発明において、好ましくは、吐水条件は吐水流量を含んでおり、制御手段は、吐水形態の切替前の吐水流量が、切替後の吐水形態に対応した記憶吐水条件である吐水流量よりも少ない場合には、切替前の吐水流量を維持する。
【００１６】
このように構成された本発明によれば、吐水条件の自動的な変更により吐水流量が増加することがないので、不必要な大流量で吐水が行われることが無く、節水することができると共に、不意の大流量吐水が行われることによる水跳ねを防止することができる。
【００１７】
本発明において、好ましくは、制御手段は、吐水形態の切替が吐水中に行われた場合には、切替前の吐水条件を維持する。
このように構成された本発明によれば、吐水中の吐水形態の切替えにより、吐水条件が自動的に変更されることがないので、吐水中の吐水条件のまま吐水形態を切替えようとする使用者の意図を裏切ることがなく、使い勝手を向上させることができる。
【００１８】
本発明において、好ましくは、吐水条件は吐水温度及び吐水流量を含んでおり、制御手段は、吐水形態の切替が吐水中に行われた場合、吐水流量は切替後の吐水形態に対応した記憶吐水条件である吐水流量に変更し、吐水温度は切替前の吐水温度を維持する。
【００１９】
このように構成された本発明によれば、使用者が視覚的に認識できない吐水温度が、吐水中に自動的に変更されることがないので、使用者は自動変更を確実に認識することができる。
【００２０】
本発明において、好ましくは、制御手段は、操作部が操作されている間に吐水形態が切替られた場合には、切替前の吐水条件を維持する。
このように構成された本発明によれば、操作部の操作中に吐水条件が自動的に変更されることがないので、使用者が吐水条件を調整している間に吐水条件が自動的に変更されることがなく、使い勝手を向上させることができる。
【００２１】
本発明において、好ましくは、吐水部は、吐水口の位置を変更できるように可動に構成され、吐水形態の切替は、吐水口の位置の変更である。
このように構成された本発明によれば、吐水口の位置に応じた適正な吐水条件に自動的に変更することができる。
【００２２】
本発明において、好ましくは、吐水部はシャワーヘッド及びカランであり、吐水形態の切替は、シャワーヘッドからの吐水とカランからの吐水の切替である。
このように構成された本発明によれば、シャワーヘッド及びカランの通常の用途に応じた適切な吐水条件に自動的に変更することができる。
【発明の効果】
【００２３】
本発明の水栓装置によれば、様々な使用場面において、使用者に違和感を与えることなく吐水条件を自動的に変更することができる。
【発明を実施するための最良の形態】
【００２４】
次に、添付図面を参照して、本発明の実施形態を説明する。
まず、図１乃至図１０を参照して、本発明の第１実施形態による水栓装置を説明する。図１及び図２は、本実施形態による水栓装置全体を示す斜視図であり、図１は吐水ヘッドを水栓本体に装着した状態を示し、図２は吐水ヘッドを水栓本体から引き出した状態を示す。図３は、本実施形態による水栓装置の構成を示すブロック図である。さらに、図４は本実施形態の水栓装置の作用を示すタイムチャートであり、図５乃至１０は水栓装置の作用を示す制御のフローチャートである。
【００２５】
図１及び図２に示すように、本発明の第１実施形態による水栓装置１は、吐水口２ａが設けられた吐水部である吐水ヘッド２と、洗面ボウル４に取り付けられた水栓本体６と、洗面ボウル４に配置された操作部である流調操作部８及び温調操作部１０と、洗面ボウル４の下側に配置された水栓装置機能部１２（図３）と、を有する。
【００２６】
本実施形態による水栓装置１は、流調操作部８及び温調操作部１０を操作することにより、水栓装置機能部１２に電気信号が送られ、各機能を実行することができる。即ち、水栓装置１は、流調操作部８を押圧操作することにより吐水ヘッド２の吐水口２ａからの吐水、止水の切り換えを行うことができ、流調操作部８を回転操作することにより吐水流量の調整を行うことができる。また、水栓装置１は、温調操作部１０を回転操作することにより、吐水温度の調整を行うことができるように構成されている。
【００２７】
流調操作部８及び温調操作部１０の内部には、表示手段であるＬＥＤ（図示せず）が内蔵されており、このＬＥＤからの照射光により各操作部の周りに概ね扇形の光照射部８ａ、１０ａが形成される。各光照射部の扇形の中心角は、設定流量及び設定温度に応じて夫々大きくなるように構成されており、使用者は、各光照射部の形状により、設定流量、設定温度を視覚的に認識できるようになっている。
【００２８】
また、図２に示すように、吐水ヘッド２は、水栓本体６から外して引き出し、吐水口２ａの位置を変更できるように構成されている。これにより、吐水ヘッド２をシャワーホース２ｂに接続されたシャワーヘッドのように使用することができる。さらに、水栓本体６には、吐水ヘッド２との接続部に吐水形態検出手段である着脱センサ１４が設けられている。この着脱センサ１４により、吐水形態の切替え、即ち、吐水ヘッド２が水栓本体６に装着されて使用されているか、或いは、吐水ヘッド２が水栓本体６から外されて使用されているかを検出することができる。なお、本実施形態においては、着脱センサ１４として、ホール素子が使用されている。このホール素子が吐水ヘッド２に取り付けられた磁石（図示せず）の磁気を検出することにより、複数の吐水形態のうちどの吐水形態が選択されているか、即ち、吐水ヘッド２の着脱を検出することができる。
【００２９】
さらに、水栓装置１の吐水条件の１つである吐出流量は、吐水ヘッド２の着脱に関わらず流調操作部８により調整されるので、流調操作部８は各吐水形態における吐水条件を変更する単一の操作部である。また、水栓装置１のもう１つの吐水条件である吐出温度は、吐水ヘッド２の着脱に関わらず温調操作部１０により調整されるので、温調操作部１０は各吐水形態における吐水条件を変更する単一の操作部である。
【００３０】
図３に示すように、水栓装置機能部１２は、給湯管１６ａ及び給水管１６ｂに接続された温調バルブ１６と、この温調バルブ１６の下流側に接続された流量調整弁１８と、この流量調整弁１８の下流側に接続された電磁弁２０と、温調バルブ１６、流量調整弁１８及び電磁弁２０を制御する制御手段であるコントローラ２２と、を有する。温調バルブ１６の出口管路には流量調整弁１８が接続され、流量調整弁１８の出口管路には電磁弁２０が接続され、電磁弁２０の出口管路にはシャワーホース２ｂ（図２）を介して吐水ヘッド２が接続されている。この構成により、電磁弁２０が開放されると、温調バルブ１６から流出した湯水は流量調整弁１８を通って電磁弁２０に流入し、吐水ヘッド２の吐水口２ａから吐出される。
【００３１】
なお、本実施形態においては、吐水条件である湯水の吐出流量及び吐出温度は、夫々流量調整弁１８及び温調バルブ１６により調整されるので、流量調整弁１８及び温調バルブ１６は夫々、吐水条件に応じた吐水を形成する吐水条件形成手段として機能する。
【００３２】
温調バルブ１６は、温度設定に従って、給湯管１６ａから流入した湯、及び給水管１６ｂから流入した水を混合して流出させるように構成されている。本実施形態においては、温調バルブ１６として、主弁体を形状記憶合金バネ及びバイアスバネの付勢力により駆動して温度を調整するタイプのサーモバルブが使用されている。また、温調バルブ１６から吐出される湯水の設定温度は、温調バルブ１６に連結されたモータ１６ｃを駆動することにより変更することができる。
【００３３】
コントローラ２２は、流調操作部８及び温調操作部１０から入力された電気信号に基づいて、電磁弁２０、温調バルブ１６及び流量調整弁１８に信号を送って、これらを制御するように構成されている。具体的には、コントローラ２２は、各操作部からの信号を入力するための入力インターフェイス、制御プログラム、記憶吐水条件である各吐水形態における設定温度、設定流量を記憶する記憶手段であるメモリ２２ａ、プログラムを実行するマイクロプロセッサ、電磁弁及び温調バルブを駆動するための出力インターフェイス等から構成される（メモリ２２ａのみ図示）。コントローラ２２による制御の詳細は、後述する。
【００３４】
次に、図４乃至図１０を参照して、本発明の第１実施形態による水栓装置１の作用を説明する。
図４は、吐水ヘッド２からの吐水流量を上段に、吐水温度を中段に、吐水形態の切替えである吐水ヘッド２の着脱を下段に示したタイムチャートである。図５は、水栓装置機能部１２に内蔵されたコントローラ２２による制御のフローチャートである。図６乃至１０は、図５のフローチャートから呼び出されるサブルーチンのフローチャートである。
【００３５】
まず、図５のステップＳ１において電源が投入されると、ステップＳ２において、電磁弁２０がＯＦＦ、即ち閉鎖される。さらに、ステップＳ３においては、各変数、フラグの初期値が設定される。即ち、吐止水モードフラグＦｐｍの値を止水状態を表す０に、流調操作部操作状態フラグＦｋｒｑの値を非操作中を表す０に、温調操作部操作状態フラグＦｋｒｔの値を非操作中を表す０に、直前吐水形態フラグＦｔｋｐの値を吐水ヘッド２の装着状態を表す０に、夫々設定する。さらに、吐出流量目標値Ｑｍ及び吐水ヘッド２の装着状態における可変記憶吐出流量Ｑｍ（０）を夫々３Ｌ／ｍｉｎに、吐水ヘッド２の引き出し状態における可変記憶吐出流量Ｑｍ（１）を５Ｌ／ｍｉｎに設定する。また、吐出温度目標値ｔｍ及び吐水ヘッド２の装着状態における可変記憶吐出温度ｔｍ（０）を夫々３８゜Ｃに、吐水ヘッド２の引き出し状態における可変記憶吐出温度ｔｍ（１）を２０゜Ｃに設定する。さらに、吐水ヘッド２の装着状態における吐出流量上限値ＱＬ（０）を１０Ｌ／ｍｉｎに、吐水ヘッド２の引き出し状態における吐出流量上限値ＱＬ（１）を６Ｌ／ｍｉｎに設定する。また、吐水ヘッド２の装着状態における吐出温度上限値ｔＬ（０）を６０゜Ｃに、吐水ヘッド２の引き出し状態における吐出温度上限値ｔＬ（１）を４０゜Ｃに設定する。さらに、流調操作部操作中判定用タイマーＴｋｒｑ及び温調操作部操作中判定用タイマーＴｋｒｔの値を０にリセットする。
【００３６】
なお、本実施形態における可変記憶吐出流量及び可変記憶吐出温度は、ステップＳ３において設定された後、流調操作部８及び温調操作部１０の操作により夫々変更される可変吐水条件である。
【００３７】
続くステップＳ４以下、水栓装置１の電源投入後、流調操作部８が押圧操作されて吐水が開始されるまでの止水状態においては、図５のステップＳ４→Ｓ５→Ｓ６→Ｓ１３→Ｓ１４→Ｓ４の処理が繰り返される。この処理の中のステップＳ１３においては、図８に示す吐水条件変更サブルーチンが呼び出される。
【００３８】
まず、図８のステップＳ３０１においては、現在の吐水形態に対応した可変記憶吐出温度ｔｍ（Ｆｔｋ）と、直前の吐水形態の切替え前の吐水形態に対応した可変記憶吐出温度ｔｍ（Ｆｔｋｐ）が比較され、ｔｍ（Ｆｔｋ）がｔｍ（Ｆｔｋｐ）よりも小さい場合にはステップＳ３０２に進み、ｔｍ（Ｆｔｋ）がｔｍ（Ｆｔｋｐ）以上の場合にはステップＳ３０３に進む。なお、現在の吐水形態を表す吐水形態フラグＦｔｋは、後述するように、図６に示すフローチャートにおいて設定された値である。
【００３９】
次に、ステップＳ３０４においては、現在の吐水形態に対応した可変記憶吐出流量Ｑｍ（Ｆｔｋ）と、直前の吐水形態の切替え前の吐水形態に対応した可変記憶吐出流量Ｑｍ（Ｆｔｋｐ）が比較され、Ｑｍ（Ｆｔｋ）がＱｍ（Ｆｔｋｐ）よりも小さい場合にはステップＳ３０５に進み、Ｑｍ（Ｆｔｋ）がＱｍ（Ｆｔｋｐ）以上の場合にはステップＳ３０６に進む。
【００４０】
上述したように、時刻ｔ０においては、吐水形態フラグＦｔｋ、直前吐水形態フラグＦｔｋｐとも０に設定されているため、Ｑｍ（Ｆｔｋ）＝Ｑｍ（Ｆｔｋｐ）となり、ステップＳ３０６に進む。ステップＳ３０６においては、吐出流量目標値Ｑｍの値が、吐水ヘッド２が水栓本体６に装着された吐水形態に対応した可変記憶吐出流量Ｑｍ（０）の値に設定される。電源投入直後においては、この値は、図５のステップＳ３において設定された３Ｌ／ｍｉｎである。
【００４１】
一方、止水状態において、流調操作部８が押圧操作されると、コントローラ２２における処理はステップＳ１４からステップＳ１５に移行し、ステップＳ１５→Ｓ１６→Ｓ１７の処理が実行されて吐水状態となる。以後、吐水状態において流調操作部８が押圧操作されるまでは、ステップＳ４→Ｓ５→Ｓ６→Ｓ７→Ｓ８→Ｓ９→Ｓ１０→Ｓ４の処理が繰り返される。吐水状態において流調操作部８が押圧操作されると、コントローラ２２における処理はステップＳ１０からステップＳ１１に移行し、ステップＳ１１→Ｓ１２の処理が実行されて再び止水状態となる。
【００４２】
なお、図５のステップＳ４においては、図６に示す吐水目標設定サブルーチンが実行され、ステップＳ５においては図７に示す設定手段操作確認サブルーチンが実行され、ステップＳ７、Ｓ１３においては図８に示す吐水条件変更サブルーチンが実行され、ステップＳ８においては図９に示す流量温度調整サブルーチンが実行される。
【００４３】
図４に示すタイムチャートの時刻ｔ０において、流調操作部８が押圧操作されると、上述したように、コントローラ２２における処理は、図５のステップＳ１４からステップＳ１５に移行し、ステップＳ１５においては、図１０に示す吐水状態記憶サブルーチンが呼び出される。
【００４４】
図１０のステップＳ５０１においては、図８のステップＳ３０６において設定された吐出流量目標値Ｑｍの値が、吐水ヘッド２が水栓本体６に装着された吐水形態に対応した可変記憶吐出流量Ｑｍ（０）の値に設定される。即ち、吐出流量目標値Ｑｍの値である３Ｌ／ｍｉｎが、吐水ヘッド２が水栓本体６に装着された吐水形態に対応した可変記憶吐出流量としてメモリ２２ａに記憶される。
【００４５】
次いで、ステップＳ５０２においては、図８のステップＳ３０３において設定された吐出温度目標値ｔｍの値が、吐水ヘッド２が水栓本体６に装着された吐水形態に対応した可変記憶吐出流量ｔｍ（０）の値に設定される。即ち、吐出流量目標値ｔｍの値である３８゜Ｃが、吐水ヘッド２が水栓本体６に装着された吐水形態に対応した可変記憶吐出温度としてメモリ２２ａに記憶される。
【００４６】
さらに、ステップＳ５０３においては、吐水形態フラグＦｔｋの値である、吐水ヘッド２が水栓本体６に装着された吐水形態を表す０が、直前吐水形態フラグＦｔｋｐの値に代入され、図１０に示すサブルーチンの処理を終了する。
【００４７】
次に、図５のステップＳ１６においては、吐止水モードフラグＦｐｍの値が、吐水状態を表す値１にセットされる。さらに、ステップＳ１７においては、コントローラ２２は、電磁弁２０に信号を送り、これを開放させる。これにより、図４の時刻ｔ０において、吐水が開始される。
【００４８】
次いで、コントローラ２２における処理は、ステップＳ４に戻り、図６のサブルーチンが実行される。
まず、図６のステップＳ１０１においては、選択されている吐水形態が判定される。即ち、コントローラ２２は、着脱センサ１４から送られた信号に基づいて、吐水ヘッド２が水栓本体６に装着されているか否かを判定する。吐水ヘッド２が水栓本体６に装着されている場合には、ステップＳ１０３に進み、吐水形態フラグＦｔｋの値が装着状態を表す０にされ、吐水ヘッド２が水栓本体６から引き出されている場合には、ステップＳ１０２に進み、吐水形態フラグＦｔｋの値が引き出し状態を表す１にされる。
【００４９】
図４の時刻ｔ０においては、吐水ヘッド２は水栓本体６に装着されているため、ステップＳ１０３において吐水形態フラグＦｔｋの値が装着状態を表す０にされる。
次いで、ステップＳ１０４においては、吐出流量目標値Ｑｍの値と、現在の吐水形態における吐出流量上限値ＱＬ（Ｆｔｋ）の値が比較される。即ち、吐水ヘッド２が水栓本体６に装着されている場合には、吐出流量目標値Ｑｍと吐出流量上限値ＱＬ（０）が比較され、吐水ヘッド２が引き出されている場合には、吐出流量目標値Ｑｍと吐出流量上限値ＱＬ（１）が比較される。吐出流量目標値Ｑｍが吐出流量上限値ＱＬ（Ｆｔｋ）を超えている場合には、ステップＳ１０５に進み、吐出流量目標値Ｑｍの値を吐出流量上限値ＱＬ（Ｆｔｋ）に変更する。吐出流量目標値Ｑｍが吐出流量上限値ＱＬ（Ｆｔｋ）以下の場合には、そのままステップＳ１０６に進む。
【００５０】
本実施形態においては、吐水ヘッド２の装着状態における吐出流量上限値ＱＬ（０）は、１０Ｌ／ｍｉｎに設定されており、引き出し状態における吐出流量上限値ＱＬ（１）は、６Ｌ／ｍｉｎに設定されている。これは、吐水ヘッド２の装着状態においては洗面ボウル４に湯水を溜める場合等大流量が必要とされる場合があり、引き出し状態においては、あまり大きな流量で吐出されると水跳ね等の問題を生じるためである。このように、吐水形態に応じて吐出流量上限値を設定しておくことにより、過大な吐出流量を防止しながら、大流量が必要とされる場面では、十分な流量を吐出させることができる。
図４の時刻ｔ０においては、吐出流量目標値Ｑｍは、吐出流量上限値ＱＬ（０）よりも小さいため、吐出流量目標値Ｑｍは変更されることなくステップＳ１０６に進む。
【００５１】
ステップＳ１０６においては、吐出温度目標値ｔｍの値と、現在の吐水形態における吐出温度上限値ｔＬ（Ｆｔｋ）の値が比較される。即ち、吐水ヘッド２が水栓本体６に装着されている場合には、吐出温度目標値ｔｍと吐出温度上限値ｔＬ（０）が比較され、吐水ヘッド２が引き出されている場合には、吐出温度目標値ｔｍと吐出温度上限値ｔＬ（１）が比較される。吐出温度目標値ｔｍが吐出温度上限値ｔＬ（Ｆｔｋ）を超えている場合には、ステップＳ１０７に進み、吐出温度目標値ｔｍの値を吐出温度上限値ｔＬ（Ｆｔｋ）に変更する。吐出温度目標値ｔｍが吐出温度上限値ｔＬ（Ｆｔｋ）以下の場合には、そのままステップＳ１０８に進む。
【００５２】
本実施形態においては、吐水ヘッド２の装着状態における吐出温度上限値ｔＬ（０）は、６０゜Ｃに設定されており、引き出し状態における吐出温度上限値ｔＬ（１）は、４０゜Ｃに設定されている。これは、吐水ヘッド２の装着状態においては高温の湯水が必要とされる場合があり、引き出し状態においては、高温の湯水を誤って洗髪に使用してしまう等の問題の発生を防止するためである。このように、吐水形態に応じて吐出温度上限値を設定しておくことにより、誤使用による問題の発生を防止しながら、高温の湯水が必要とされる場面では、十分に高い温度の湯水を吐出させることができる。
【００５３】
図４の時刻ｔ０においては、吐出温度目標値ｔｍは、吐出温度上限値ｔＬ（０）よりも低いため、吐出温度目標値ｔｍは変更されることなくステップＳ１０８に進む。
【００５４】
ステップＳ１０８においては、コントローラ２２は、表示手段に吐出流量目標値Ｑｍ及び吐出温度目標値ｔｍの値を送り、表示手段はそれらの値を表示する。次に、ステップＳ１０９においては、吐止水モードフラグＦｐｍの値が判断される。吐止水モードフラグＦｐｍ＝１、即ち、吐水中である場合にはステップＳ１１０に進み、吐止水モードフラグＦｐｍ＝０、即ち、止水中である場合には、図６に示すサブルーチンの処理を終了する。ステップＳ１１０においては、コントローラ２２は、流量調整弁１８に信号を送り、吐出流量が吐出流量目標値Ｑｍになるように流量調整弁１８を制御する。さらに、ステップＳ１１１においては、コントローラ２２は、温調バルブ１６に信号を送り、吐出温度が吐出温度目標値ｔｍになるように温調バルブ１６を制御し、図６に示すサブルーチンの処理を終了する。
【００５５】
図４の時刻ｔ０においては、吐止水モードフラグＦｐｍの値は、ステップＳ１６において１に設定されているので、ステップＳ１１０、Ｓ１１１の処理が行われる。ステップＳ１１０においては、コントローラ２２は、図８のステップＳ３０６において設定された吐出流量目標値Ｑｍの信号を送り、この流量による吐水がなされるように流量調整弁１８を制御する。これにより、時刻ｔ０の後、吐水流量は、３Ｌ／ｍｉｎに調整される。さらに、ステップＳ１１１においては、コントローラ２２は、図８のステップＳ３０３において設定された吐出温度目標値ｔｍの信号を送り、この温度による吐水がなされるように温調バルブ１６を制御する。これにより、時刻ｔ０の後、吐水温度は３８゜Ｃに制御される。
【００５６】
次に、コントローラ２２における処理は、ステップＳ５に進み、図７のサブルーチンが実行される。
まず、図７のステップＳ２０１においては、流調操作部８が使用者により操作されたか否かが判断される。流調操作部８が操作されている場合には、ステップＳ２０２に進み、ステップＳ２０２においては、流調操作部操作中判定用タイマーＴｋｒｑがリセットされる。さらに、ステップＳ２０３においては、流調操作部操作状態フラグＦｋｒｑを操作中を表す１にして、ステップＳ２０６に進む。
【００５７】
一方、ステップＳ２０１において、流調操作部８が操作されていないと判断された場合には、ステップＳ２０４に進み、流調操作部操作中判定用タイマーＴｋｒｑの値が所定の操作中判定時間ＴＫＲ未満か否かが判断される。流調操作部操作中判定用タイマーＴｋｒｑの値が操作中判定時間ＴＫＲ未満である場合には、ステップＳ２０６に進む。また、ステップＳ２０４において、流調操作部操作中判定用タイマーＴｋｒｑの値が操作中判定時間ＴＫＲ以上である場合には、ステップＳ２０５に進み、ステップＳ２０５においては、流調操作部操作状態フラグＦｋｒｑを、操作中でないことを表す０にして、ステップＳ２０６に進む。
【００５８】
次に、ステップＳ２０６においては、温調操作部１０が使用者により操作されたか否かが判断される。温調操作部１０が操作されている場合には、ステップＳ２０７に進み、ステップＳ２０７においては、温調操作部操作中判定用タイマーＴｋｒｔがリセットされる。さらに、ステップＳ２０８においては、温調操作部操作状態フラグＦｋｒｔを操作中を表す１にして、図７に示すサブルーチンの処理を終了する。
【００５９】
一方、ステップＳ２０６において、温調操作部１０が操作されていないと判断された場合には、ステップＳ２０９に進み、温調操作部操作中判定用タイマーＴｋｒｔの値が所定の操作中判定時間ＴＫＲ未満か否かが判断される。温調操作部操作中判定用タイマーＴｋｒｔの値が操作中判定時間ＴＫＲ未満である場合には、図７に示すサブルーチンの処理を終了する。また、ステップＳ２０９において、温調操作部操作中判定用タイマーＴｋｒｔの値が操作中判定時間ＴＫＲ以上である場合には、ステップＳ２１０に進み、ステップＳ２１０においては、温調操作部操作状態フラグＦｋｒｔを、操作中でないことを表す０にして、図７に示すサブルーチンの処理を終了する。
【００６０】
このように、図７に示すサブルーチンにおいては、流調操作部８が使用者により操作されている間は、流調操作部操作状態フラグＦｋｒｑの値を１に設定し、流調操作部８が操作されていない場合には、操作終了後、操作中判定時間ＴＫＲ経過までは流調操作部操作状態フラグＦｋｒｑの値を１に保持し、所定の操作中判定時間ＴＫＲが経過すると、流調操作部操作状態フラグＦｋｒｑの値を０に復帰させる。同様に、温調操作部１０が使用者により操作されている間は、温調操作部操作状態フラグＦｋｒｔの値を１に設定し、温調操作部１０が操作されていない場合には、操作終了後、操作中判定時間ＴＫＲ経過までは温調操作部操作状態フラグＦｋｒｔの値を１に保持し、所定の操作中判定時間ＴＫＲが経過すると、温調操作部操作状態フラグＦｋｒｔの値を０に復帰させる。なお、本実施形態においては、操作中判定時間ＴＫＲは、約２秒に設定されている。即ち、各操作部の操作が途切れた後、約２秒間は、操作が継続される可能性があるため、各操作部操作状態フラグが１に保持される。
【００６１】
図４の時刻ｔ０の後、何も操作がなされていない間は、図７に示すサブルーチンにが実行されても、流調操作部操作状態フラグＦｋｒｑ及び温調操作部操作状態フラグＦｋｒｔは０のままである。
【００６２】
次いで、コントローラ２２による処理は、図５のステップＳ６に移行する。
ステップＳ６においては、吐水状態か否か、即ち、吐止水モードフラグＦｐｍの値が判断される。吐水状態である吐止水モードフラグＦｐｍ＝１の場合にはステップＳ７に進み、止水状態である吐止水モードフラグＦｐｍ＝０の場合にはステップＳ１３に進む。
【００６３】
水栓装置１の電源投入後、何も操作されていない場合には、止水状態であり、吐止水モードフラグＦｐｍ＝０であるためステップＳ１３に進み、以後、ステップＳ１４→Ｓ４→Ｓ５→Ｓ６→Ｓ１３→Ｓ１４の処理が繰り返される。
【００６４】
一方、図４の時刻ｔ０においては、ステップＳ１６で吐止水モードフラグＦｐｍが１に変更されているため、コントローラ２２による処理は、ステップＳ６からステップＳ７に移行する。
ステップＳ７においては、上述した図８に示すサブルーチンが再び実行されるが、図４の時刻ｔ０の後、吐水形態が変更されるまでは、このサブルーチンにおいて、各フラグ及び変数が変更されることはない。
【００６５】
次に、ステップＳ８においては、図９に示すサブルーチンが実行される。
まず、図９のステップＳ４０１においては、流調操作部８が操作されたか否かが判断される。操作されている場合にはステップＳ４０２に進み、操作されていない場合にはステップＳ４０４に進む。ステップＳ４０２においては、流調操作部８の操作角度Ｑ０ａが取得される。次いで、ステップＳ４０３においては、吐出流量目標値Ｑｍが流調操作部８の操作角度Ｑ０ａに応じて変更される。即ち、流調操作部８が時計回りに回転された場合には吐出流量目標値Ｑｍは増加され、反時計回りに回転された場合には吐出流量目標値Ｑｍは減少される。変更された吐出流量目標値Ｑｍは、次に図６のステップＳ１１０が実行されたとき、吐水流量に反映される。
【００６６】
次に、ステップＳ４０４においては、温調操作部１０が操作されたか否かが判断される。操作されている場合にはステップＳ４０５に進み、操作されていない場合には図４に示すサブルーチンの処理を終了する。ステップＳ４０５においては、温調操作部１０の操作角度ｔ０ａが取得される。次いで、ステップＳ４０６においては、吐出流量目標値ｔｍが温調操作部１０の操作角度ｔ０ａに応じて変更され、図９に示すサブルーチンの処理を終了する。なお、温調操作部１０が時計回りに回転された場合には吐出温度目標値ｔｍは増加され、反時計回りに回転された場合には吐出温度目標値ｔｍは減少される。変更された吐出温度目標値ｔｍは、次に図６のステップＳ１１１が実行されたとき、吐水温度に反映される。
【００６７】
次いで、コントローラ２２による処理はステップＳ９に移行し、ステップＳ９においては、上述した図１０に示すフローチャートが再び呼び出される。
図４の時刻ｔ０の後、流調操作部８又は温調操作部１０が回転操作されるまでは、図１０に示すサブルーチンにおいて、各フラグ及び変数が変更されることはない。
【００６８】
ステップＳ９の処理が実行された後、コントローラ２２による処理は、ステップＳ１０に移行する。時刻ｔ０の後、流調操作部８が押圧操作されるまでは、ステップＳ４→Ｓ５→Ｓ６→Ｓ７→Ｓ８→Ｓ９→Ｓ１０→Ｓ４の処理が繰り返される。また、これらのステップの処理を繰り返す間、使用者による何らかの操作が検知されるまでは、各フラグ及び変数が変更されることはない。
【００６９】
次に、図４の時刻ｔ１において、使用者が吐水ヘッド２を水栓本体６から引き出すと、これを着脱センサ１４が検出し、コントローラ２２に検出信号を送る。この検出信号は、図６のステップＳ１０１において処理され、ステップＳ１０２により吐水形態フラグＦｔｋの値が１に変更される。
【００７０】
吐水形態フラグＦｔｋの値が変更されると、図８に示すサブルーチンの処理が変化する。まず、ステップＳ３０１において、可変記憶吐出温度ｔｍ（Ｆｔｋ＝１）とｔｍ（Ｆｔｋｐ＝０）の値が比較される。時刻ｔ１において、ｔｍ（１）＝２０゜Ｃ、ｔｍ（０）＝３８゜Ｃであるため、ステップＳ３０２に進む。ステップＳ３０２においては、吐出温度目標値ｔｍがｔｍ（１）＝２０゜Ｃに設定される。
【００７１】
次いで、ステップＳ３０４において、可変記憶吐出流量Ｑｍ（Ｆｔｋ＝１）とＱｍ（Ｆｔｋｐ＝０）の値が比較される。時刻ｔ１において、Ｑｍ（１）＝５Ｌ／ｍｉｎ、Ｑｍ（０）＝３Ｌ／ｍｉｎであるため、ステップＳ３０６に進む。ステップＳ３０６においては、吐出温度目標値ＱｍはＱｍ（０）＝３Ｌ／ｍｉｎに維持される。
【００７２】
これらの吐出温度目標値ｔｍ＝２０゜Ｃ及び吐出温度目標値Ｑｍ＝３Ｌ／ｍｉｎの値は、メインルーチンのステップＳ９から呼び出される図１０に示すサブルーチンにおいて、吐水ヘッド２を引き出した吐水形態に対応した可変記憶吐出温度ｔｍ（１）、可変記憶吐出流量Ｑｍ（１）として、夫々メモリ２２ａに記憶される。また、これらの吐出温度目標値ｔｍ及び吐出温度目標値Ｑｍは、次に図６のステップＳ１１０、Ｓ１１１が実行された時点で、吐水温度、吐水流量に反映され、これらの吐水条件による吐水が開始される。以後、各フラグ及び変数が変更されることなく、ステップＳ４→Ｓ５→Ｓ６→Ｓ７→Ｓ８→Ｓ９→Ｓ１０→Ｓ４の処理が繰り返される。
【００７３】
次に、図４の時刻ｔ２において、使用者が流調操作部８の回転操作を開始すると、この操作は、図５のステップＳ８において呼び出される図９に示すサブルーチンにより処理される。
【００７４】
まず、図９のステップＳ４０１において、流調操作部８が回転操作されたと判断され、処理は、ステップＳ４０２に移行する。ステップＳ４０２おいては、回転操作の操作角度Ｑ０ａが、コントローラ２２に取り込まれる。次いで、ステップＳ４０３においては、吐出流量目標値Ｑｍの値が、操作角度Ｑ０ａに応じて変更される。図４の時刻ｔ２においては流調操作部８は反時計回りに回転されているので、操作角度Ｑ０ａはマイナスであり、吐出流量目標値Ｑｍの値は減少される。
【００７５】
次に、ステップＳ４０４においては、温調操作部１０は回転操作されていないと判断され、図９のサブルーチンの処理が終了する。続いて、図５のステップＳ９から呼び出される図１０に示すサブルーチンにおいては、ステップＳ４０３において変更された吐出流量目標値Ｑｍの値が、吐水ヘッド２を引き出した吐水形態に対応した可変記憶吐出流量Ｑｍ（１）として、新たにメモリ２２ａに記憶される。
【００７６】
また、この吐出流量目標値Ｑｍの変化は、次に図６のステップＳ１１０が実行された時点で吐水流量に反映される。同様の処理が、使用者による流調操作部８の回転操作が終了する時刻ｔ３まで繰り返され、吐水流量は、使用者の回転操作に応じて減少される。図４の例においては、吐出流量目標値Ｑｍは、時刻ｔ３において１Ｌ／ｍｉｎまで減少され、この値は、吐水ヘッド２の引き出し状態に対応した可変記憶吐出流量Ｑｍ（１）としてメモリ２２ａに記憶される。使用者による流調操作部８の回転操作終了後、各フラグ及び変数は変更されることなく、ステップＳ４→Ｓ５→Ｓ６→Ｓ７→Ｓ８→Ｓ９→Ｓ１０→Ｓ４の処理が繰り返される。
【００７７】
また、図４の時刻ｔ４において、使用者が温調操作部１０の回転操作を開始すると、この操作も同様に、図５のステップＳ８において呼び出される図９に示すサブルーチンにより処理される。
まず、ステップＳ４０１においては、流調操作部８は回転操作されていないと判断され、処理は、ステップＳ４０４に移行する。
【００７８】
次に、ステップＳ４０４において、温調操作部１０が回転操作されたと判断され、処理は、ステップＳ４０５に移行する。ステップＳ４０５おいては、回転操作の操作角度ｔ０ａが、コントローラ２２に取り込まれる。次いで、ステップＳ４０６においては、吐出温度目標値ｔｍの値が、操作角度ｔ０ａに応じて変更される。図４の時刻ｔ４においては温調操作部１０は反時計回りに回転されているので、操作角度ｔ０ａはマイナスであり、吐出温度目標値ｔｍの値は減少される。
【００７９】
次に、図５のステップＳ９から呼び出される図１０に示すサブルーチンにおいては、ステップＳ４０６において変更された吐出温度目標値ｔｍの値が、吐水ヘッド２を引き出した吐水形態に対応した可変記憶吐出流量ｔｍ（１）として、新たにメモリ２２ａに記憶される。
【００８０】
また、この吐出温度目標値ｔｍの変化は、次に図６のステップＳ１１１が実行された時点で吐水温度に反映される。同様の処理が、使用者による温調操作部１０の回転操作が終了する時刻ｔ５まで繰り返され、吐水温度は、使用者の回転操作に応じて低下される。図４の例においては、吐出温度目標値Ｑｍは、時刻ｔ５において１５゜Ｃまで減少され、この値は、吐水ヘッド２の引き出し状態に対応した可変記憶吐出温度ｔｍ（１）としてメモリ２２ａに記憶される。使用者による温調操作部１０の回転操作終了後、各フラグ及び変数は変更されることなく、ステップＳ４→Ｓ５→Ｓ６→Ｓ７→Ｓ８→Ｓ９→Ｓ１０→Ｓ４の処理が繰り返される。
【００８１】
次に、図４の時刻ｔ６において、使用者が吐水ヘッド２を水栓本体６に装着すると、これを着脱センサ１４が検出し、コントローラ２２に検出信号を送る。この検出信号は、図６のステップＳ１０１において処理され、ステップＳ１０３により吐水形態フラグＦｔｋの値が０に変更される。
吐水形態フラグＦｔｋの値が変更されると、図８に示すサブルーチンの処理が変化する。まず、ステップＳ３０１において、可変記憶吐出温度ｔｍ（Ｆｔｋ＝０）とｔｍ（Ｆｔｋｐ＝１）の値が比較される。時刻ｔ６において、ｔｍ（０）＝３８゜Ｃ（時刻ｔ１における吐水ヘッド２の装着状態に応じた記憶吐水温度が保持されている）、ｔｍ（１）＝１５゜Ｃ（時刻ｔ５における吐水ヘッド２の引き出し状態に応じた記憶吐水温度が保持されている）であるため、ステップＳ３０３に進む。ステップＳ３０３においては、吐出温度目標値ｔｍは、吐水ヘッド２の装着状態に応じた記憶吐水温度ｔｍ（０）＝３８゜Ｃに変更されることなく、吐水形態を切替える前、即ち、吐水ヘッド２の引き出し状態における吐出温度目標値ｔｍ＝１５゜Ｃのままに維持される。
【００８２】
次いで、ステップＳ３０４において、可変記憶吐出流量Ｑｍ（Ｆｔｋ＝０）とＱｍ（Ｆｔｋｐ＝１）の値が比較される。時刻ｔ６において、Ｑｍ（０）＝３Ｌ／ｍｉｎ（時刻ｔ１における吐水ヘッド２の装着状態に応じた記憶吐水流量が保持されている）、Ｑｍ（１）＝１Ｌ／ｍｉｎ（時刻ｔ３における吐水ヘッド２の引き出し状態に応じた記憶吐水温度が保持されている）であるため、ステップＳ３０６に進む。ステップＳ３０６においては、吐出流量目標値Ｑｍは、吐水ヘッド２の装着状態に応じた記憶吐水流量Ｑｍ（０）＝３Ｌ／ｍｉｎに変更されることなく、吐水形態を切替える前、即ち、吐水ヘッド２の引き出し状態における吐出流量目標値Ｑｍ＝１Ｌ／ｍｉｎのままに維持される。
【００８３】
これらの吐出温度目標値ｔｍ＝１５゜Ｃ及び吐出温度目標値Ｑｍ＝１Ｌ／ｍｉｎの値は、ステップＳ９において呼び出される図１０に示すサブルーチンにおいて、吐水ヘッド２を装着した吐水形態に対応した可変記憶吐出温度ｔｍ（０）、可変記憶吐出流量Ｑｍ（０）として、夫々メモリ２２ａに記憶される。また、これらの吐出温度目標値ｔｍ及び吐出流量目標値Ｑｍは、次に図６のステップＳ１１０、Ｓ１１１が実行された時点で、吐水温度、吐水流量に反映され、これらの吐水条件による吐水が開始される。以後、各フラグ及び変数が変更されることなく、ステップＳ４→Ｓ５→Ｓ６→Ｓ７→Ｓ８→Ｓ９→Ｓ１０→Ｓ４の処理が繰り返される。
【００８４】
次に、図４の時刻ｔ７において、使用者が吐水ヘッド２を水栓本体６から引き出すと、コントローラ２２に検出信号が送られる。この検出信号により、ステップＳ１０２において、吐水形態フラグＦｔｋの値が１に変更される。ここで、時刻ｔ７においては、各吐水形態における可変記憶吐出温度ｔｍ（０）及びｔｍ（１）は共に１５゜Ｃであり、可変記憶吐出流量Ｑｍ（０）及びＱｍ（１）は共に１Ｌ／ｍｉｎである。従って、時刻ｔ７における吐水形態の変更が、吐出温度目標値ｔｍ及び吐出流量目標値Ｑｍの値に影響を及ぼすことはなく、吐水ヘッド２を引き出した後も同一の温度及び流量の吐水が継続される。
【００８５】
次いで、図４の時刻ｔ８において、使用者が流調操作部８及び温調操作部１０を時計回りに回転操作すると、図４の時刻ｔ２〜ｔ３及び時刻ｔ４〜ｔ５と同様の作用により、吐水流量は増加し、吐水温度は上昇する。使用者による回転操作が終了する時刻ｔ９においては、吐出流量目標値Ｑｍ及び吐水ヘッド２を引き出した吐水形態における可変記憶吐出流量Ｑｍ（１）は２Ｌ／ｍｉｎに変更され、吐出温度目標値ｔｍ及び吐水ヘッド２を引き出した吐水形態における可変記憶吐出温度ｔｍ（１）は３０゜Ｃに変更される。
【００８６】
さらに、時刻ｔ１０において、使用者が吐水ヘッド２を水栓本体６に装着すると、コントローラ２２に検出信号が送られ、図６のステップＳ１０３により吐水形態フラグＦｔｋの値が０に変更される。
【００８７】
吐水形態フラグＦｔｋの値が変更されると、図８に示すサブルーチンの処理が変化する。まず、ステップＳ３０１において、可変記憶吐出温度ｔｍ（Ｆｔｋ＝０）とｔｍ（Ｆｔｋｐ＝１）の値が比較される。時刻ｔ１０において、ｔｍ（０）＝１５゜Ｃ（時刻ｔ７における吐水ヘッド２の装着状態に応じた記憶吐水温度が保持されている）、ｔｍ（１）＝３０゜Ｃ（時刻ｔ９における吐水ヘッド２の引き出し状態に応じた記憶吐水温度が保持されている）であるため、ステップＳ３０２に進む。ステップＳ３０２においては、吐出温度目標値ｔｍは、吐水ヘッド２の装着状態に応じた記憶吐水温度ｔｍ（０）＝１５゜Ｃに変更される。
【００８８】
次いで、ステップＳ３０４において、可変記憶吐出流量Ｑｍ（Ｆｔｋ＝０）とＱｍ（Ｆｔｋｐ＝１）の値が比較される。時刻ｔ１０において、Ｑｍ（０）＝１Ｌ／ｍｉｎ（時刻ｔ７における吐水ヘッド２の装着状態に応じた記憶吐水流量が保持されている）、Ｑｍ（１）＝２Ｌ／ｍｉｎ（時刻ｔ９における吐水ヘッド２の引き出し状態に応じた記憶吐水温度が保持されている）であるため、ステップＳ３０５に進む。ステップＳ３０６においては、吐出流量目標値Ｑｍは、吐水ヘッド２の装着状態に応じた記憶吐水流量Ｑｍ（０）＝１Ｌ／ｍｉｎに変更される。
【００８９】
このように、本発明の第１実施形態による水栓装置１においては、コントローラ２２は、吐水形態が切替えられたとき、切替え後の吐水形態についてメモリ２２ａに記憶されている吐水流量、吐水温度に吐水条件を変更するが、所定の場合には、切替え前の吐水条件が維持される。
【００９０】
即ち、吐水形態が装着状態から引き出し状態に切替えられた時刻ｔ１においては、切替え後の吐水形態について記憶されている記憶吐水温度の方が、切替え前の吐水形態について記憶されている記憶吐水温度よりも低いため、吐水形態の切替えに応じて吐水温度が変更される。また、時刻ｔ１においては、切替え後の吐水形態について記憶されている記憶吐水流量の方が、切替え前の吐水形態について記憶されている記憶吐水流量よりも多いため、吐水形態の切替えに応じた吐水流量の変更は行われず、切替え前の吐水流量が維持される。
【００９１】
また、時刻ｔ６における吐水形態の切替では、吐水温度、吐水流量とも切替え後の方が高いので、吐水温度、吐水流量とも切替え前の吐水条件が維持される。さらに、時刻ｔ１０における吐水形態の切替では、吐水温度、吐水流量とも切替え後の方が低いので、吐水温度、吐水流量とも吐水形態の切替えに伴って吐水条件が変更される。
【００９２】
本発明の第１実施形態の水栓装置によれば、吐水ヘッドが引き出されたとき、吐水ヘッドの装着時における吐水条件が、自動的に、メモリーに記憶されている前回の吐水ヘッド引き出し時における吐水条件に変更され、また、吐水ヘッドが装着されたときにも自動的に吐水条件が変更されるため、吐水形態を切替える毎に吐水条件を設定する必要がなく、使い勝手を向上させることができる。
【００９３】
また、本実施形態の水栓装置によれば、メモリーに記憶された記憶吐水流量、記憶吐水温度を各操作部の操作により変更することができるので、各吐水形態に応じた吐水条件を使用者の好みに応じて設定することができる。
【００９４】
さらに、本実施形態の水栓装置によれば、コントローラによる自動的な変更により吐水温度が上昇することがないので、不必要な高温で吐水が行われることが無く、エネルギーの無駄を省くことができると共に、不意に高温の吐水が行われる不都合を回避することができる。
【００９５】
また、本実施形態の水栓装置によれば、コントローラによる自動的な変更により吐水流量が増加することがないので、不必要な大流量で吐水が行われることが無く、節水することができると共に、不意の大流量吐水が行われることによる水跳ねを防止することができる。
【００９６】
上述した本発明の第１実施形態による水栓装置においては、吐水形態の切替え前後における吐水条件が所定の関係にある場合には、吐水条件を変更せず、切替え前の吐水条件が維持されるが、変形例として、吐止水の状態に基づいて、吐水条件の変更を行うことができる。
【００９７】
図１１は第１変形例の作用を示すタイムチャートであり、図１２は、本変形例において使用されるサブルーチンのフローチャートを示す。図１２に示すサブルーチンは、図８に示すサブルーチンに代えて、図５に示すフローチャートのステップＳ７及びＳ１３において呼び出されるサブルーチンである。第１変形例による水栓装置は、コントローラ２２における処理を、このように変更することにより実現することができる。
【００９８】
次に、本発明の実施形態の第１変形例による水栓装置の作用を説明する。まず、図１１の時刻ｔ１００において吐水が開始される前には、コントローラ２２においては、図５のステップＳ４→Ｓ５→Ｓ６→Ｓ１３→Ｓ１４→Ｓ４の処理が繰り返されている。時刻ｔ１００において、吐水が開始されると、コントローラ２２における処理は、ステップＳ１４からステップＳ１５に移行し、ステップＳ１６→Ｓ１７→Ｓ４と進んだ後、ステップＳ４→Ｓ５→Ｓ６→Ｓ７→Ｓ８→Ｓ９→Ｓ１０→Ｓ４が繰り返されるようになる。
【００９９】
図１１の時刻ｔ１０１において、吐水形態が吐水ヘッド２の装着状態から引き出し状態に切替えられる。吐水形態が切替えられた後、図５のステップＳ７から呼び出される図１２に示すサブルーチンが実行されると、まず、ステップＳ６０１においては、吐水状態か否かが判断される。時刻ｔ１０１においては吐水状態であるため、ステップＳ６０３に進む。ステップＳ６０３においては、切替え前の吐水形態（吐水ヘッド２の装着状態、即ち、Ｆｔｋｐ＝０）に対応した可変記憶吐出流量Ｑｍ（０）が吐出流量目標値Ｑｍとして設定され、切替え前の吐水形態に対応した可変記憶吐出温度ｔｍ（０）が吐出温度目標値ｔｍとして設定される。このように、本変形例では、吐水状態において吐水形態の切替が行われた場合には、吐出流量目標値Ｑｍ、吐出温度目標値ｔｍとして設定される値は、切替え前の吐水形態に対応した記憶吐水条件であり、吐水形態の切替によって吐水条件が変更されることはない。
【０１００】
次いで、図１１の時刻ｔ１０２〜ｔ１０３において、使用者が温調操作部１０を操作することにより吐水温度を変更すると、時刻ｔ１０３における吐水温度が、吐水ヘッド２の引き出し状態に対応した可変記憶吐出温度ｔｍ（１）としてメモリ２２ａに記憶される。
【０１０１】
さらに、時刻ｔ１０４において、吐水形態が吐水ヘッド２の装着状態に切替えられ、時刻ｔ１０３に設定された吐水温度が吐水ヘッド２の装着状態に対応した可変記憶吐出温度ｔｍ（０）としてメモリ２２ａに記憶される。また、時刻ｔ１０４においても吐水状態であるため、吐水条件は変更されない。
【０１０２】
次いで、時刻ｔ１０５において、吐水形態が吐水ヘッド２の引き出し状態に切替えられ、時刻ｔ１０６〜ｔ１０７において、使用者による温調操作部１０の操作により吐水温度が元に戻される。さらに、時刻ｔ１０８において、流調操作部８が使用者により押圧操作され、止水状態にされる。これにより、図５のステップＳ４→Ｓ５→Ｓ６→Ｓ７→Ｓ８→Ｓ９→Ｓ１０→Ｓ４を繰り返していたコントローラ２２における処理は、ステップＳ１０からステップＳ１１に移行し、ステップＳ１１→Ｓ１２→Ｓ４と進んだ後、Ｓ４→Ｓ５→Ｓ６→Ｓ１３→Ｓ１４→Ｓ４の処理が繰り返されるようになる。
【０１０３】
次に、時刻ｔ１０９において、吐水形態が吐水ヘッド２の装着状態に切替えられる。吐水形態が切替えられた後、図５のステップＳ１３から呼び出される図１２に示すサブルーチンが実行されると、ステップＳ６０１において、吐水状態か否かが判断される。時刻ｔ１０９においては止水状態であるため、ステップＳ６０２に進む。ステップＳ６０２においては、切替え後の吐水形態（吐水ヘッド２の装着状態、即ち、Ｆｔｋ＝０）に対応した可変記憶吐出流量Ｑｍ（０）が吐出流量目標値Ｑｍとして設定され、切替え後の吐水形態に対応した可変記憶吐出温度ｔｍ（０）（時刻ｔ１０５において記憶された値）が吐出温度目標値ｔｍとして設定される。このように、本変形例では、止水状態において吐水形態の切替が行われた場合には、吐出流量目標値Ｑｍ、吐出温度目標値ｔｍとして設定される値は、切替え後の吐水形態に対応したものに変更される。
【０１０４】
次いで、時刻ｔ１１０において、使用者の押圧操作により吐水が再開されると、止水直前（時刻ｔ１０８）における吐水条件ではなく、前回の吐水ヘッド２の装着状態における吐水条件（時刻ｔ１０５における吐水条件）により吐水が再開される。
【０１０５】
第１変形例の水栓装置によれば、吐水中に吐水形態が切替えられることにより自動的に吐水条件が変更されて使用者が戸惑うのを防止しながら、止水状態において吐水形態が切替えられた場合には、自動的に吐水条件を変更して、切替え後の吐水形態に適する吐水条件で吐水を開始させることができる。
【０１０６】
また、上述した第１変形例においては、吐水状態においては、常に、吐水条件の自動的な変更が禁止されていたが、第２変形例として、一部の吐水条件の自動的な変更のみを禁止するように構成することもできる。
【０１０７】
図１３は第２変形例の作用を示すタイムチャートである。また、図１４は、図８に示すフローチャートに代えて、本変形例において図５のステップＳ７、Ｓ１３から呼び出されるサブルーチンである。
【０１０８】
まず、図１３の時刻ｔ２００において吐水が開始される。次いで、時刻ｔ２０１において吐水形態が切替えられると、図５のステップＳ７から図１４に示すサブルーチンが呼び出される。図１４のステップＳ７０１においては、吐止水モードフラグＦｐｍの値が判断され、ステップＳ７０２に進む。ステップＳ７０２においては、吐出温度目標値ｔｍが、切替え前の吐水形態に対応した可変記憶吐出温度ｔｍ（０）に設定される。このため、時刻ｔ２０１における吐水形態の切替え後にも切替え前の吐水温度が維持される。さらに、ステップＳ７０４においては、吐出流量目標値Ｑｍが、切替え後の吐水形態に対応した可変記憶吐出流量Ｑｍ（１）に設定される。このように、吐出流量については、吐水形態の切替えに応じて吐出流量目標値Ｑｍが設定されるが、図１３に示す例では、各吐水形態に対応した可変記憶吐出流量が同一であるため、吐水形態の切替え後にも流量は変化していない。
【０１０９】
次いで、時刻ｔ２０２〜ｔ２０３において、使用者の操作により吐水流量及び吐水温度が変更される。次に、時刻ｔ２０４において、吐水形態が吐水ヘッド２の装着状態に切替えられると、図１４に示すサブルーチンが実行される。これにより、吐出流量目標値Ｑｍは、装着状態に対応した可変記憶吐出流量Ｑｍ（０）に変更され、吐出温度目標値ｔｍは、引き出し状態に対応した可変記憶吐出温度ｔｍ（１）の値のまま維持される。
【０１１０】
次に、時刻ｔ２０５において、吐水形態が引き出し状態に変更された場合にも、同様に、吐出流量目標値Ｑｍは、引き出し状態に対応した可変記憶吐出流量Ｑｍ（１）に変更され、吐出温度目標値ｔｍは、装着状態に対応した可変記憶吐出温度ｔｍ（０）の値のまま維持される。さらに、時刻ｔ２０６〜ｔ２０７において、使用者の操作により吐水温度が変更され、時刻ｔ２０８において、止水状態にされる。
【０１１１】
止水状態の時刻ｔ２０９において、使用者が吐水形態を装着状態に変更すると、図５のステップＳ１３から図１４に示すサブルーチンが呼び出され、そのステップＳ７０３において、吐出温度目標値ｔｍが吐水形態切替え後の可変記憶吐出温度ｔｍ（０）に変更される。また、ステップＳ７０４において、吐出流量目標値Ｑｍも、装着状態に対応した可変記憶吐出流量Ｑｍ（０）に変更される。その後、時刻ｔ２１０において吐水を開始させると、可変記憶吐出流量Ｑｍ（０）、可変記憶吐出温度ｔｍ（０）の吐水条件に自動的に変更された吐水が開始される。
【０１１２】
第２変形例の水栓装置によれば、吐水中に吐水形態が切替えられることにより、視覚的に認識できない吐水温度が自動的に変更されて使用者が戸惑うのを防止しながら、止水状態において吐水形態が切替えられた場合には、温度、流量とも自動的に吐水条件を変更して、切替え後の吐水形態に適する吐水条件で吐水を開始させることができる。
【０１１３】
さらに、上述した変形例においては、吐水条件において、一部又は全部の吐水条件の変更が禁止されていたが、変形例として、操作部の操作中における吐水条件の自動変更を禁止することもできる。
【０１１４】
図１５は、第３変形例による水栓装置１の作用を示すタイムチャートであり、上段に吐出流量を、中段に吐水形態の切替え状態を、下段に流調操作部操作状態フラグＦｋｒｑの値を示している。また、図１６は、図８に示すフローチャートに代えて、本変形例において図５のステップＳ７、Ｓ１３から呼び出されるサブルーチンである。
【０１１５】
まず、図１５の時刻ｔ３００において吐水が開始される前には、コントローラ２２においては、図５のステップＳ４→Ｓ５→Ｓ６→Ｓ１３→Ｓ１４→Ｓ４の処理が繰り返されている。時刻ｔ３００において、吐水が開始されると、コントローラ２２における処理は、ステップＳ１４からステップＳ１５に移行し、ステップＳ１６→Ｓ１７→Ｓ４と進んだ後、ステップＳ４→Ｓ５→Ｓ６→Ｓ７→Ｓ８→Ｓ９→Ｓ１０→Ｓ４が繰り返されるようになる。
【０１１６】
図１５の時刻ｔ３０１において、吐水形態が吐水ヘッド２の装着状態から引き出し状態に切替えられる。吐水形態が切替えられた後、時刻ｔ３０２において、使用者が流調操作部８を操作して流量を減少させ始めると、図５のステップＳ５から呼び出される図７に示すサブルーチンにおいて、処理はステップＳ２０１からステップＳ２０２に移行し、ここで、流調操作部操作中判定用タイマーＴｋｒｑがリセットされ、新たな積算が開始される。次いで、ステップＳ２０３においては、流調操作部操作状態フラグＦｋｒｑの値が１にされる。
【０１１７】
また、温調操作部１０は操作されていないため、ステップＳ２０６以下の処理においては、温調操作部操作状態フラグＦｋｒｔの値は０にされたまま図７に示すサブルーチンの処理が終了する。時刻ｔ３０２以降、使用者による流調操作部８の操作が終了する時刻ｔ３０４まで、図７に示すサブルーチンは同様の処理を繰り返す。
【０１１８】
一方、流調操作部８操作中の時刻ｔ３０３においては、吐水形態が引き出し状態から装着状態に切替えられる。吐水形態が切替えられ、図５のステップＳ７から図１６に示すサブルーチンが呼び出されると、まず、ステップＳ８０１において、流調操作部操作状態フラグＦｋｒｑの値が判断される。時刻ｔ３０３においては、流調操作部操作状態フラグＦｋｒｑ＝１であるため、処理は、ステップＳ８０３に進む。ステップＳ８０３においては、吐出流量目標値Ｑｍとして、切替え前の吐水形態に対応した可変記憶吐出流量Ｑｍ（１）が設定される。
【０１１９】
次いで、ステップＳ８０４においては、温調操作部操作状態フラグＦｋｒｔの値が判断される。時刻ｔ３０３において温調操作部１０が操作されていなければ、温調操作部操作状態フラグＦｋｒｔ＝０であるため、処理は、ステップＳ８０５に進む。ステップＳ８０５においては、吐出温度目標値ｔｍとして、切替え後の吐水形態に対応した可変記憶吐出温度ｔｍ（０）が設定される。
【０１２０】
この処理により、時刻ｔ３０３においては、使用者が操作中の流量については吐水条件の自動変更は行われず、温度については、切替え後の吐水形態に対応した可変記憶吐出温度に自動的に変更される。なお、時刻ｔ３０３における吐出流量目標値Ｑｍの値は、図５のステップＳ９から呼び出される図１０に示すサブルーチンのステップＳ５０１において、引き出し状態の吐水形態に対応した可変記憶吐出流量Ｑｍ（１）としてメモリ２２ａに記憶される。
【０１２１】
次いで、時刻ｔ３０４において、使用者による流調操作部８の操作が終了する。使用者の操作が終了した後、図５のステップＳ５から呼び出される図７に示すサブルーチンのステップＳ２０１の処理が行われると、処理はステップＳ２０４に移行する。ステップＳ２０４においては、流調操作部操作中判定用タイマーＴｋｒｑの積算時間が判定される。流調操作部操作中判定用タイマーは、使用者による操作が終了した時刻ｔ３０４の直前にリセットされ、時刻ｔ３０４からの経過時間を積算している。図７に示すサブルーチンにおける処理は、時刻ｔ３０４から所定の操作中判定時間ＴＫＲ（本実施形態においては２秒）が経過している場合にはステップＳ２０５に進み、経過していない場合にはステップＳ２０６に進む。ステップＳ２０５においては、流調操作部８の操作中１にされていた流調操作部操作状態フラグＦｋｒｑの値が０に戻される。
【０１２２】
このため、流調操作部操作状態フラグＦｋｒｑの値は、使用者による流調操作部８の操作が終了した時刻ｔ３０４の後、操作中判定時間ＴＫＲが経過する時刻ｔ３０５まで１に保持される。流調操作部操作状態フラグＦｋｒｑの値が１である期間に図５のステップＳ７から図１６に示すサブルーチンが呼び出された場合には、このサブルーチンにおける処理はステップＳ８０１からステップＳ８０３に移行する。ステップＳ８０３においては、吐出流量目標値Ｑｍとして、切替え前の吐水形態に対応した可変記憶吐出流量が設定される。このため、操作中判定時間ＴＫＲ経過前に吐水形態が切替えられた場合には、吐水条件は変更されず、切替え前の吐水形態に対応した吐水条件が維持される。
【０１２３】
一方、使用者による流調操作部８の操作が終了した時刻ｔ３０４から操作中判定時間ＴＫＲが経過した時刻ｔ３０６において吐水形態が切替えられると、図１６における処理はステップＳ８０１からステップＳ８０２に移行する。ステップＳ８０２においては、吐出流量目標値Ｑｍとして、切替え後の吐水形態に対応した可変記憶吐出流量が設定され、切替え後の吐水形態に対応した吐水条件に自動的に変更される。図１５に示す例では、時刻ｔ３０６において、吐出流量目標値Ｑｍとして、時刻ｔ３０３にメモリ２２ａに記憶された可変記憶吐出流量が設定される。
【０１２４】
さらに、流調操作部操作状態フラグＦｋｒｑの値が０である時刻ｔ３０７において吐水形態が切替えられると、切替え後の吐水形態に対応した吐水条件に自動的に変更される。
【０１２５】
第３変形例の水栓装置によれば、操作部の操作中に吐水温度や吐水流量が自動的に変更されることがないので、使用者が吐水条件を調整している間に吐水条件が自動的に変更されることがなく、使い勝手を向上させることができる。
【０１２６】
次に、図１７乃至図２１を参照して、本発明の第２実施形態による水栓装置を説明する。本実施形態の水栓装置は、吐水ヘッドが回転式である点、及びコントローラにおける制御を除き、上述した第１実施形態による水栓装置と同様である。従って、ここでは本実施形態による水栓装置の第１実施形態とは異なる点のみを説明し、同様の点については説明を省略する。
【０１２７】
図１７及び図１８は、本発明の第２実施形態による水栓装置の斜視図である。図１９及び図２０は、本実施形態の水栓装置におけるコントローラによる制御のフローチャートである。また、図２１は、本実施形態による水栓装置の作用を示すタイムチャートである。
【０１２８】
図１７及び図１８に示すように、本発明の第２実施形態による水栓装置１００は、吐水口１０２ａが設けられた吐水部である吐水ヘッド１０２と、洗面ボウル４に取り付けられた水栓本体１０６と、洗面ボウル４に配置された操作部である流調操作部８及び温調操作部１０と、洗面ボウル４の下側に配置された水栓装置機能部１２と、を有する。
【０１２９】
本実施形態による水栓装置１００は、水栓本体１０６の先端に設けられた吐水ヘッド１０２が、所定の軸線を中心に回転可能に構成されており、図１７に示す吐水口１０２ａを下方に向けた吐水形態と、図１８に示す吐水口１０２ａを上方に向けた吐水形態との間で、吐水口１０２ａを移動させることができる。このように、吐水口１０２ａを上方に向けることにより、眼の洗浄等を容易に行うことができる。
【０１３０】
次に、図１９乃至図２１を参照して、本実施形態の水栓装置におけるコントローラによる制御を説明する。図１９は、水栓装置機能部に内蔵されたコントローラによる制御のフローチャートである。図２０は、図１９のフローチャートから呼び出されるサブルーチンのフローチャートである。図２１は、吐水ヘッド１０２からの吐水流量を上段に、吐水温度を中段に、吐水形態の切替えである吐水ヘッド１０２の回転を下段に示したタイムチャートである。
【０１３１】
まず、図１９のステップＳ１００１において電源が投入されると、ステップＳ１００２において、電磁弁２０が閉鎖される。さらに、ステップＳ１００３においては、各変数、フラグの初期値が設定される。即ち、吐止水モードフラグＦｐｍの値を０に、流調操作部操作状態フラグＦｋｒｑの値を０に、温調操作部操作状態フラグＦｋｒｔの値を０に、夫々設定する。さらに、吐出流量目標値Ｑｍ及び吐水ヘッド１０２を下方に向けた状態における固定記憶吐出流量ＱＭ（０）を夫々５Ｌ／ｍｉｎに、吐水ヘッド１０２を上方に向けた状態における固定記憶吐出流量ＱＭ（１）を３Ｌ／ｍｉｎに設定する。また、吐出温度目標値ｔｍ及び吐水ヘッド１０２を下方に向けた状態における固定記憶吐出温度ｔＭ（０）を夫々３８゜Ｃに、吐水ヘッド１０２を上方に向けた状態における固定記憶吐出温度ｔＭ（１）を２０゜Ｃに設定する。さらに、吐水ヘッド１０２を下方に向けた状態における吐出流量上限値ＱＬ（０）を１０Ｌ／ｍｉｎに、吐水ヘッド１０２を上方に向けた状態における吐出流量上限値ＱＬ（１）を６Ｌ／ｍｉｎに設定する。また、吐水ヘッド１０２を下方に向けた状態における吐出温度上限値ｔＬ（０）を６０゜Ｃに、吐水ヘッド１０２を上方に向けた状態における吐出温度上限値ｔＬ（１）を４０゜Ｃに設定する。さらに、流調操作部操作中判定用タイマーＴｋｒｑ及び温調操作部操作中判定用タイマーＴｋｒｔの値を０にリセットする。
【０１３２】
なお、本実施形態における固定記憶吐出流量及び固定記憶吐出温度は、ステップＳ１００３において予め設定された値に固定され、変更されることのない固定吐水条件である。
【０１３３】
続くステップＳ１００４以下、水栓装置１００の電源投入後、流調操作部８が押圧操作されて吐水が開始されるまでの止水状態においては、図１９のステップＳ１００４→Ｓ１００５→Ｓ１００６→Ｓ１０１２→Ｓ１０１３→Ｓ１００４の処理が繰り返される。
【０１３４】
図１９のステップＳ１００４において呼び出されるサブルーチンは、第１実施形態において図６に示したサブルーチンと同様であるので、説明を省略する。ただし、本実施形態では、図６のステップＳ１０１において、吐水ヘッド１０２を上方に向けた状態か、下方に向けた状態かが判断され、下方に向けた状態である場合には吐水形態フラグＦｔｋ＝０、上方に向けた状態である場合には吐水形態フラグＦｔｋ＝１が設定される。
【０１３５】
また、図１９のステップＳ１００５において呼び出されるサブルーチンは、第１実施形態において図７に示したサブルーチンと同様であるので、説明を省略する。さらに、ステップＳ１０１２においては、図２０に示すサブルーチンが呼び出される。
【０１３６】
一方、止水状態において、流調操作部８が押圧操作されると、コントローラ２２における処理はステップＳ１０１３からステップＳ１０１４に移行し、ステップＳ１０１４→Ｓ１０１５の処理が実行されて吐水状態となる。以後、吐水状態において流調操作部８が押圧操作されるまでは、ステップＳ１００４→Ｓ１００５→Ｓ１００６→Ｓ１００７→Ｓ１００８→Ｓ１００９→Ｓ１００４の処理が繰り返される。吐水状態において流調操作部８が押圧操作されると、コントローラ２２における処理はステップＳ１００９からステップＳ１０１０に移行し、ステップＳ１０１０→Ｓ１０１１の処理が実行されて再び止水状態となる。
【０１３７】
図１９のステップＳ１００８において呼び出されるサブルーチンは、第１実施形態において図９に示したサブルーチンと同様であるので、説明を省略する。
図２１に示すタイムチャートの時刻ｔ４００において、流調操作部８が押圧操作されると、上述したように、コントローラ２２における処理は、図１９のステップＳ１０１３からステップＳ１０１４に移行し、吐水が開始される。
【０１３８】
次いで、コントローラ２２における処理は、ステップＳ１００４に戻り、図６のサブルーチンが実行される。
まず、図６のステップＳ１０１においては、選択されている吐水形態が判定される。即ち、コントローラ２２は、水栓本体１０６に設けられた回転センサ（図示せず）から送られた信号に基づいて、吐水ヘッド１０２が下方に向けられているか否かを判定する。吐水ヘッド１０２が下方に向けられている場合には、ステップＳ１０３に進み、吐水形態フラグＦｔｋの値が下方に向けた状態を表す０にされ、吐水ヘッド２が上方に向けられている場合には、ステップＳ１０２に進み、吐水形態フラグＦｔｋの値が上方に向けられた状態を表す１にされる。
【０１３９】
図２１の時刻ｔ４００においては、吐水ヘッド１０２は下方に向けられているため、ステップＳ１０３において吐水形態フラグＦｔｋの値が０にされる。
図６に示すサブルーチンにおけるステップＳ１０４以下の処理は、第１実施形態と同様であるので、説明を省略する。
【０１４０】
次に、コントローラ２２における処理は、図１９のステップＳ１００５に進み、図７のサブルーチンが実行される。図１９のステップＳ１００５において呼び出されるサブルーチンは、第１実施形態において図７に示したサブルーチンと同様であるので、説明を省略する。
【０１４１】
次いで、コントローラ２２による処理は、図１９のステップＳ１００６に移行する。
ステップＳ１００６においては、吐水状態か否か、即ち、吐止水モードフラグＦｐｍの値が判断される。吐水状態である吐止水モードフラグＦｐｍ＝１の場合にはステップＳ１００７に進み、止水状態である吐止水モードフラグＦｐｍ＝０の場合にはステップＳ１０１２に進む。
【０１４２】
一方、図４の時刻ｔ４００においては、ステップＳ１０１４で吐止水モードフラグＦｐｍが１に変更されているため、コントローラ２２による処理は、ステップＳ１００６からステップＳ１００７に移行する。
ステップＳ１００７においては、図２０に示すサブルーチンが実行されるが、図２１の時刻ｔ４００の後、吐水形態が変更されるまでは、このサブルーチンにおいて、各フラグ及び変数が変更されることはない。
【０１４３】
次に、ステップＳ１００８においては、図９に示すサブルーチンが呼び出される。図１９のステップＳ１００８において呼び出されるサブルーチンは、第１実施形態において図９に示したサブルーチンと同様であるので、説明を省略する。
ステップＳ１００８の処理が実行された後、コントローラ２２による処理は、ステップＳ１００９に移行する。時刻ｔ４００の後、流調操作部８が押圧操作されるまでは、ステップＳ１００４→Ｓ１００５→Ｓ１００６→Ｓ１００７→Ｓ１００８→Ｓ１００９→Ｓ１００４の処理が繰り返される。
【０１４４】
次に、図２１の時刻ｔ４０１において、使用者が吐水ヘッド１０２を上方に向けると、これを回転センサ（図示せず）が検出し、コントローラ２２に検出信号を送る。この検出信号は、図６のステップＳ１０１において処理され、ステップＳ１０２により吐水形態フラグＦｔｋの値が１に変更される。
【０１４５】
吐水形態フラグＦｔｋの値が変更されると、図２０に示すサブルーチンの処理が変化する。まず、ステップＳ１１０１において、固定記憶吐出温度ｔＭ（Ｆｔｋ＝１）と吐出温度目標値ｔｍの値が比較される。時刻ｔ４０１において、ｔＭ（１）＝２０゜Ｃ、ｔｍ＝３８゜Ｃであるため、ステップＳ１１０２に進む。ステップＳ１１０２においては、吐出温度目標値ｔｍがｔＭ（１）＝２０゜Ｃに設定され、ステップＳ１１０３に進む。また、吐出温度目標値ｔｍよりも固定記憶吐出温度ｔＭ（Ｆｔｋ）の方が高い場合には、吐出温度目標値ｔｍを変更することなくステップＳ１１０３に進む。
【０１４６】
次いで、ステップＳ１１０３において、固定記憶吐出流量ＱＭ（Ｆｔｋ＝１）と吐出流量目標値Ｑｍの値が比較される。時刻ｔ４０１において、ＱＭ（１）＝３Ｌ／ｍｉｎ、Ｑｍ＝５Ｌ／ｍｉｎであるため、ステップＳ１１０４に進む。ステップＳ１１０４においては、吐出流量目標値ＱｍはＱＭ（１）＝３Ｌ／ｍｉｎに設定され、図２０に示すサブルーチンの処理が終了する。また、吐出流量目標値Ｑｍよりも固定記憶吐出流量ＱＭ（Ｆｔｋ）の方が大きい場合には、吐出温度目標値Ｑｍを変更することなく図２０に示すサブルーチンの処理を終了する。
【０１４７】
図２０に示すサブルーチンにおいて設定された吐出温度目標値ｔｍ及び吐出流量目標値Ｑｍは、次に図６のステップＳ１１０、Ｓ１１１が実行された時点で、吐水温度、吐水流量に反映され、これらの吐水条件による吐水が開始される。以後、各フラグ及び変数が変更されることなく、ステップＳ１００４→Ｓ１００５→Ｓ１００６→Ｓ１００７→Ｓ１００８→Ｓ１００９→Ｓ１００４の処理が繰り返される。
【０１４８】
さらに、図２１の時刻ｔ４０２から使用者が流調操作部８及び温調操作部１０を操作すると、この操作は、図１９のステップＳ１００８から呼び出される図９に示すサブルーチンによって処理され、吐出流量目標値Ｑｍ及び吐出温度目標値ｔｍの値が変更され、吐出流量は減少され、吐出温度は上昇される。
【０１４９】
次いで、時刻ｔ４０３において、吐水形態が吐水ヘッド１０２を下方に向けた状態に切替えられると、図１９のステップＳ１００４から呼び出される図６に示すサブルーチンにより吐水形態フラグＦｔｋが０に変更される。次いで、ステップＳ１００７から呼び出される図２０に示すサブルーチンのステップＳ１１０１においては、固定記憶吐出温度ｔＭ（０）と吐出温度目標値ｔｍが比較される。固定記憶吐出温度ｔＭ（０）は３８゜Ｃに固定されており、時刻ｔ４０３における吐出温度目標値ｔｍはこれよりも低いため、吐出温度目標値ｔｍを変更することなくステップＳ１１０３に進む。
【０１５０】
ステップＳ１１０３においては、固定記憶吐出流量ＱＭ（０）と吐出流量目標値Ｑｍが比較される。固定記憶吐出流量ＱＭ（０）は５Ｌ／ｍｉｎに固定されており、時刻ｔ４０３における吐出流量目標値Ｑｍはこれよりも少ないため、吐出流量目標値Ｑｍを変更することなく図２０に示すサブルーチンの処理を終了する。
【０１５１】
さらに、時刻ｔ４０４において、吐水形態が吐水ヘッド１０２を上方に向けた状態に切替えられると、吐水形態フラグＦｔｋが１に変更される。次いで、ステップＳ１００７から呼び出される図２０に示すサブルーチンのステップＳ１１０１においては、固定記憶吐出温度ｔＭ（１）と吐出温度目標値ｔｍが比較される。固定記憶吐出温度ｔＭ（１）は２０゜Ｃに固定されており、時刻ｔ４０４における吐出温度目標値ｔｍはこれよりも高いため、ステップＳ１１０２に進み、吐出温度目標値ｔｍが固定記憶吐出温度ｔＭ（１）の２０゜Ｃに変更され、この温度での吐水が開始される。
【０１５２】
次に、ステップＳ１１０３においては、固定記憶吐出流量ＱＭ（１）と吐出流量目標値Ｑｍが比較される。固定記憶吐出流量ＱＭ（１）は３Ｌ／ｍｉｎに固定されており、時刻ｔ４０４における吐出流量目標値Ｑｍはこれよりも少ないため、吐出流量目標値Ｑｍを変更することなく図２０に示すサブルーチンの処理を終了する。
【０１５３】
次いで、時刻ｔ４０５〜ｔ４０６において、使用者が流調操作部８及び温調操作部１０を操作することにより、吐出流量が増え、吐出温度が上昇される。さらに、時刻ｔ４０７において、吐水形態が吐水ヘッド１０２を下方に向けた状態に切替えられると、吐水形態フラグＦｔｋが０に変更される。時刻ｔ４０７における吐出流量及び吐出温度は、固定記憶吐出流量ＱＭ（０）及び固定記憶吐出温度ｔＭ（０）よりも夫々大きいので、吐出流量目標値Ｑｍは５Ｌ／ｍｉｎに、吐出温度目標値ｔｍは３８゜Ｃに夫々自動的に変更される。
【０１５４】
本発明の第２実施形態の水栓装置によれば、記憶吐出温度、記憶吐出流量が固定されているので、水栓装置が公共の場に設置された場合等の悪戯を防止することができると共に、使用者が固定された吐水条件を変更したい場合には、吐水中に操作部を操作することにより好みに応じて吐水条件を変更することができる。
【０１５５】
上述した本発明の第２実施形態による水栓装置においては、吐水形態の切替え前後における吐水条件に基づいて、吐水条件の変更又は維持を行っていたが、変形例として、吐止水の状態に基づいて、吐水条件の変更を行うことができる。
【０１５６】
図２２は第４変形例の作用を示すタイムチャートであり、図２３は、本変形例において使用されるサブルーチンのフローチャートを示す。図２３に示すサブルーチンは、図２０に示すサブルーチンに代えて、図１９に示すフローチャートのステップＳ１００７及びＳ１０１２において呼び出されるサブルーチンである。第４変形例による水栓装置は、コントローラ２２における処理を、このように変更することにより実現することができる。
【０１５７】
まず、図２２の時刻ｔ５００において吐水ヘッド１０２を下方に向けた状態で吐水が開始された後、時刻ｔ５０１において吐水形態が切替えられる。時刻ｔ５０１において、図１９のステップＳ１００７から図２３に示すサブルーチンが呼び出されると、図２３のステップＳ１２０１において吐水状態か否かが判断され、吐水状態である場合には、吐水条件を変更することなくサブルーチンの処理を終了する。
【０１５８】
次いで、時刻ｔ５０１〜ｔ５０２において、使用者の操作により吐水温度が変更される。さらに、時刻ｔ５０２、ｔ５０３において吐水形態が切替えられた際にも、吐水中であるため吐水条件の自動変更は行われない。次いで、時刻ｔ５０３〜ｔ５０４において、使用者の操作により吐水温度が変更された後、時刻ｔ５０４において、使用者により止水される。
【０１５９】
次に、時刻ｔ５０５において、吐水形態が、吐水ヘッド１０２を下方に向けた状態に切替えられる。これにより、ステップＳ１００４から呼び出される図６に示すサブルーチンにおいて吐水形態フラグＦｔｋが０に変更される。さらに、ステップＳ１０１２から図２３に示すサブルーチンが呼び出されると、図２３のステップＳ１２０２において、吐出流量目標値Ｑｍ、吐出温度目標値ｔｍとして、固定記憶吐出流量ＱＭ（０）、固定記憶吐出温度ｔＭ（０）の値が夫々設定される。これにより、時刻ｔ５０６において吐水が再開されると、吐水ヘッド１０２を下方に向けた吐水形態に対応した吐水条件に自動的に変更される。
【０１６０】
上述した第４変形例においては、吐水状態では常に吐水条件が維持されていたが、第５変形例として、吐水状態において吐水温度のみが常に維持されるように構成することもできる。
【０１６１】
図２４は第５変形例の作用を示すタイムチャートであり、図２５は、本変形例において使用されるサブルーチンのフローチャートを示す。図２５に示すサブルーチンは、図２０に示すサブルーチンに代えて、図１９に示すフローチャートのステップＳ１００７及びＳ１０１２において呼び出されるサブルーチンである。第５変形例による水栓装置は、コントローラ２２における処理を、このように変更することにより実現することができる。
【０１６２】
まず、図２４の時刻ｔ６００において吐水ヘッド１０２を下方に向けた状態で吐水が開始された後、時刻ｔ６０１において吐水形態が切替えられる。時刻ｔ６０１において、図１９のステップＳ１００７から図２５に示すサブルーチンが呼び出されると、図２５のステップＳ１３０１において吐水状態か否かが判断され、吐水状態である場合には、吐出温度目標値ｔｍを変更することなくステップＳ１３０３に進む。次に、ステップＳ１３０３においては、吐出流量目標値Ｑｍとして、固定記憶吐出流量ＱＭ（１）の値が設定される。
【０１６３】
次いで、時刻ｔ６０１〜ｔ６０２において、使用者の操作により吐水温度が変更される。さらに、時刻ｔ６０２、ｔ６０３において吐水形態が切替えられた際にも、吐出温度目標値ｔｍは維持され、吐出流量目標値Ｑｍは自動的に変更される。次いで、時刻ｔ６０３〜ｔ６０４において、使用者の操作により吐水流量、吐水温度が変更された後、時刻ｔ６０４において、使用者により止水される。
【０１６４】
次に、時刻ｔ６０５において、吐水形態が、吐水ヘッド１０２を下方に向けた状態に切替えられる。これにより、ステップＳ１００４から呼び出される図６に示すサブルーチンにおいて吐水形態フラグＦｔｋが０に変更される。さらに、ステップＳ１０１２から図２５に示すサブルーチンが呼び出されると、図２５のステップＳ１３０２において、吐出温度目標値ｔｍとして固定記憶吐出温度ｔＭ（０）の値が設定され、ステップＳ１３０３において、吐出流量目標値Ｑｍとして固定記憶吐出流量ＱＭ（０）の値が設定される。これにより、時刻ｔ６０６において吐水が再開されると、吐水ヘッド１０２を下方に向けた吐水形態に対応した吐水条件に自動的に変更される。
【０１６５】
さらに、上述した変形例においては、吐水条件において、一部又は全部の吐水条件の変更が禁止されていたが、変形例として、操作部の操作中における吐水条件の自動変更を禁止することもできる。
【０１６６】
図２６は、第６変形例による水栓装置１００の作用を示すタイムチャートであり、上段に吐出流量を、中段に吐水形態の切替え状態を、下段に流調操作部操作状態フラグＦｋｒｑの値を示している。また、図２７は、図２０に示すフローチャートに代えて、本変形例において図１９のステップＳ１００７、Ｓ１０１２から呼び出されるサブルーチンである。
【０１６７】
まず、図２６の時刻ｔ７００において吐水ヘッド１０２を下方に向けた状態で吐水が開始された後、時刻ｔ７０１において吐水形態が切替えられると共に、使用者による吐水流量の操作が開始される。これにより、図１９のステップＳ１００５から呼び出される図７に示すサブルーチンのステップＳ２０３において、流調操作部操作状態フラグＦｋｒｑの値が１にされる。次に、使用者による操作途中の時刻ｔ７０３において、図１９のステップＳ１００７から図２７に示すサブルーチンが呼び出されると、図２７のステップＳ１４０１において吐出流量の操作中か否かが判断され、操作中である場合には、吐出流量目標値Ｑｍを変更することなくステップＳ１４０３に進む。このため、時刻ｔ７０３においては、吐出流量目標値Ｑｍは変更されずに元の値が維持される。
【０１６８】
また、ステップＳ１４０３においては、吐出温度の操作中か否かが判断される。操作中である場合には、吐出温度目標値ｔｍを変更することなく図２７に示すサブルーチンの処理を終了し、操作中でない場合には、ステップＳ１４０４において、吐出温度目標値ｔｍとして吐水形態に応じた固定記憶吐出温度ｔＭ（Ｘ）が設定される。
【０１６９】
次いで、使用者による操作が時刻ｔ７０４において終了した後、所定の操作中判定時間ＴＫＲが経過する時刻ｔ７０５まで、流調操作部操作状態フラグＦｋｒｑの値は１に維持される。
【０１７０】
時刻ｔ７０６において、吐水形態が、吐水ヘッド１０２を上方に向けた状態に切替えられると、図２７のステップＳ１４０２において、吐出流量目標値Ｑｍとして固定記憶吐出流量ＱＭ（１）の値が設定される。これにより、吐出流量が自動的に変更される。さらに、時刻ｔ７０７において、吐水形態が、吐水ヘッド１０２を下方に向けた状態に切替えられると、図２７のステップＳ１４０２において、吐出流量目標値Ｑｍとして固定記憶吐出流量ＱＭ（０）の値が設定される。
【０１７１】
以上、本発明の好ましい実施形態を説明したが、上述した実施形態に種々の変更を加えることができる。特に、上述した実施形態においては、吐水形態の変更として、吐水ヘッドの装着、引き出し、及び吐水ヘッドの回転を例示したが、「吐水形態の変更」には、以下に例示するように、吐水口の位置が変更される任意の態様、吐水される吐水口が切り替わる任意の態様が含まれるものとする。
【０１７２】
図２８に示す例においては、ハンガー２０２に掛けられたシャワーヘッド２００が正面に向けられた状態を第１の吐水形態、シャワーヘッド２００が側方に向けられた状態を第２の吐水形態として、吐水条件を変更するように構成されている。また、この例においては、シャワーヘッド２００に埋め込まれた磁石２００ａ、及びこの磁石２００ａの磁気を検出するハンガー２０２に埋め込まれたホール素子２０２ａにより吐水形態検出手段を構成している。
【０１７３】
図２８に示す例においては、シャワーヘッド２００が側方に向けられた吐水形態において、自動的に吐出流量を減少させることにより、シャワーヘッド２００からの吐水が意図しない壁面等にかかるのを防止することができる。
【０１７４】
さらに、図２９に示す水栓装置３００は、シャワーヘッド３０２と、カラン３０４と、流調操作部３０６と、温調操作部３０８と、シャワー吐水スイッチ３１０と、カラン吐水スイッチ３１２と、を有する。この水栓装置３００は、シャワー吐水スイッチ３１０及びカラン吐水スイッチ３１２を押圧することにより、第１の吐水形態であるシャワー吐水と第２の吐水形態であるカラン吐水を切替えることができるように構成されている。シャワー吐水、カラン吐水に応じて適正な吐出流量、吐出温度に自動的に変更することにより、水栓装置の使い勝手を向上させることができる。
【０１７５】
或いは、図２８に示す例と図２９に示す例を組合せ、シャワーヘッドを側方に向けた状態を第１の吐水形態、それ以外の状態におけるシャワー吐水を第２の吐水形態、カラン吐水を第３の吐水形態として、夫々に適正な吐出流量、吐出温度に自動的に変更されるように水栓装置を構成することもできる。
【０１７６】
また、上述した実施形態においては、２つの吐水形態夫々に吐水条件が記憶されていたが、吐水条件を記憶しておく吐水形態は、複数の吐水形態のうちの一部であっても良い。
【０１７７】
さらに、上述した第１実施形態においては、全ての記憶吐水条件が可変吐水条件であり、第２実施形態においては、全ての記憶吐水条件が固定吐水条件であったが、可変吐水条件と固定吐水条件を、吐水形態毎に混在させることもできる。
【図面の簡単な説明】
【０１７８】
【図１】本発明の第１実施形態による水栓装置全体を示す斜視図であり、吐水ヘッドを水栓本体に装着した状態を示す。
【図２】本発明の第１実施形態による水栓装置全体を示す斜視図であり、吐水ヘッドを水栓本体から引き出した状態を示す。
【図３】本発明の第１実施形態による水栓装置の構成を示すブロック図である。
【図４】本発明の第１実施形態による水栓装置の作用を示すタイムチャートである。
【図５】水栓装置機能部に内蔵されたコントローラによる制御のフローチャートである。
【図６】図５のフローチャートから呼び出されるサブルーチンのフローチャートである。
【図７】図５のフローチャートから呼び出されるサブルーチンのフローチャートである。
【図８】図５のフローチャートから呼び出されるサブルーチンのフローチャートである。
【図９】図５のフローチャートから呼び出されるサブルーチンのフローチャートである。
【図１０】図５のフローチャートから呼び出されるサブルーチンのフローチャートである。
【図１１】第１変形例の作用を示すタイムチャートである。
【図１２】第１変形例において使用されるサブルーチンのフローチャートである。
【図１３】第２変形例の作用を示すタイムチャートである。
【図１４】第２変形例において図５のステップＳ７、Ｓ１３から呼び出されるサブルーチンである。
【図１５】第３変形例による水栓装置１の作用を示すタイムチャートである。
【図１６】第３変形例において図５のステップＳ７、Ｓ１３から呼び出されるサブルーチンである。
【図１７】本発明の第２実施形態による水栓装置の斜視図であり、吐水口を下方に向けた吐水形態を示す。
【図１８】本発明の第２実施形態による水栓装置の斜視図であり、吐水口を上方に向けた吐水形態を示す。
【図１９】水栓装置機能部に内蔵されたコントローラによる制御のフローチャートである。
【図２０】図１９のフローチャートから呼び出されるサブルーチンのフローチャートである。
【図２１】吐水ヘッドからの吐水流量を上段に、吐水温度を中段に、吐水ヘッドの回転を下段に示したタイムチャートである。
【図２２】第４変形例の作用を示すタイムチャートである。
【図２３】第４変形例において使用されるサブルーチンのフローチャートを示す。
【図２４】第５変形例の作用を示すタイムチャートである。
【図２５】第５変形例において図１９に示すフローチャートのステップＳ１００７及びＳ１０１２から呼び出されるサブルーチンである。
【図２６】第６変形例による水栓装置の作用を示すタイムチャートである。
【図２７】第６変形例において、図１９のステップＳ１００７、Ｓ１０１２から呼び出されるサブルーチンである。
【図２８】吐水形態の一例を示すシャワーヘッドの斜視図である。
【図２９】吐水形態の一例を示す水栓装置の斜視図である。
【符号の説明】
【０１７９】
Ｆｔｋ      吐水形態フラグ
Ｆｔｋｐ    直前吐水形態フラグ
Ｆｐｍ      吐止水モードフラグ
Ｆｋｒｑ    流調操作部操作状態フラグ
Ｆｋｒｔ    温調操作部操作状態フラグ
Ｑｍ        吐出流量目標値
Ｑｍ（Ｘ）  可変記憶吐出流量
ＱＭ（Ｘ）  固定記憶吐出流量
ｔｍ        吐出温度目標値
ｔｍ（Ｘ）  可変記憶吐出温度
ｔＭ（Ｘ）  固定記憶吐出温度
ＱＬ（Ｘ）  吐出流量上限値
ｔＬ（Ｘ）  吐出温度上限値
Ｔｋｒｑ    流調操作部操作中判定用タイマー
Ｔｋｒｔ    温調操作部操作中判定用タイマー
ＴＫＲ      操作中判定時間
１          本発明の第１実施形態による水栓装置
２          吐水ヘッド（吐水部）
２ａ        吐水口
２ｂ        シャワーホース
４          洗面ボウル
６          水栓本体
８          流調操作部（操作部）
８ａ        光照射部
１０        温調操作部（操作部）
１０ａ      光照射部
１２        水栓装置機能部
１４        着脱センサ（吐水形態検出手段）
１６        温調バルブ（吐水条件形成手段）
１６ａ      給湯管
１６ｂ      給水管
１６ｃ      モータ
１８        流量調整弁（吐水条件形成手段）
２０        電磁弁
２２        コントローラ（制御手段）
２２ａ      メモリ（記憶手段）
１００      本発明の第２実施形態による水栓装置
１０２      吐水ヘッド
１０２ａ    吐水口
１０６      水栓本体
２００      シャワーヘッド
２００ａ    磁石
２０２      ハンガー
２０２ａ    ホール素子
３００      水栓装置
３０２      シャワーヘッド
３０４      カラン
３０６      流調操作部
３０８      温調操作部
３１０      シャワー吐水スイッチ
３１２      カラン吐水スイッチ
【図１】
2010043465.tif 000003
【図２】
2010043465.tif 000004
【図３】
2010043465.tif 000005
【図４】
2010043465.tif 000006
【図５】
2010043465.tif 000007
【図６】
2010043465.tif 000008
【図７】
2010043465.tif 000009
【図８】
2010043465.tif 000010
【図９】
2010043465.tif 000011
【図１０】
2010043465.tif 000012
【図１１】
2010043465.tif 000013
【図１２】
2010043465.tif 000014
【図１３】
2010043465.tif 000015
【図１４】
2010043465.tif 000016
【図１５】
2010043465.tif 000017
【図１６】
2010043465.tif 000018
【図１７】
2010043465.tif 000019
【図１８】
2010043465.tif 000020
【図１９】
2010043465.tif 000021
【図２０】
2010043465.tif 000022
【図２１】
2010043465.tif 000023
【図２２】
2010043465.tif 000024
【図２３】
2010043465.tif 000025
【図２４】
2010043465.tif 000026
【図２５】
2010043465.tif 000027
【図２６】
2010043465.tif 000028
【図２７】
2010043465.tif 000029
【図２８】
2010043465.tif 000030
【図２９】
2010043465.tif 000031